(57)【要約】  受信側でフレーム補間が行われることによって制作時の意図の的確な反映が妨げられることを回避可能とする。  所定フレームレートの動画像データに符号化処理が施されて得られたビデオストリームを含む所定のコンテナを送信する。コンテナのレイヤおよび/またはビデオストリームのレイヤに、フレーム補間を制限するための情報を挿入する。例えば、フレーム補間を制限するための情報には、フレーム補間を禁止する情報が含まれる。また、例えば、フレーム補間を制限するための情報には、フレームリピート回数を示す情報が含まれる。
2016190089.tif 000002
【特許請求の範囲】
【請求項１】
所定フレームレートの動画像データに符号化処理が施されて得られたビデオストリームを含む所定のコンテナを送信する送信部と、
上記コンテナのレイヤおよび/または上記ビデオストリームのレイヤに、フレーム補間を制限するための情報を挿入する情報挿入部を備える
送信装置。
【請求項２】
上記フレーム補間を制限するための情報には、フレーム補間を禁止する情報が含まれる
請求項１に記載の送信装置。
【請求項３】
上記フレーム補間を制限するための情報には、フレームリピート回数を示す情報が含まれる
請求項１に記載の送信装置。
【請求項４】
上記情報挿入部は、上記フレーム補間を制限するための情報を含むデスクリプタを上記コンテナのレイヤに挿入する
請求項１に記載の送信装置。
【請求項５】
上記情報挿入部は、上記フレーム補間を制限するための情報を含むＳＥＩメッセージを上記ビデオストリームのレイヤに挿入する
請求項１に記載の送信装置。
【請求項６】
送信部により、所定フレームレートの動画像データに符号化処理が施されて得られたビデオストリームを含む所定のコンテナを送信する送信ステップと、
上記コンテナのレイヤおよび/または上記ビデオストリームのレイヤに、フレーム補間を制限するための情報を挿入する情報挿入ステップを有する
送信方法。
【請求項７】
所定フレームレートの動画像データを取得する画像データ取得部と、
フレーム補間を制限するための情報に基づいて上記動画像データのフレームレートを表示フレームレートに変換して出力するフレームレート変換処理を制御する制御部を備える
画像処理装置。
【請求項８】
上記画像データ取得部は、上記所定フレームレートの動画像データに符号化処理を施して得られたビデオストリームを含む所定フォーマットのコンテナを受信し、該ビデオストリームに復号化処理を施して上記所定フレームレートの動画像データを取得する
請求項７に記載の画像処理装置。
【請求項９】
上記フレーム補間を制限するための情報は、上記コンテナのレイヤおよび/または上記ビデオストリームのレイヤに挿入されている
請求項８に記載の画像処理装置。
【請求項１０】
上記画像データ取得部は、上記所定フレームの動画像データを、外部機器からデジタルインタフェースを介して取得する
請求項７に記載の画像処理装置。
【請求項１１】
上記フレーム補間を制限するための情報は、上記外部機器から上記デジタルインタフェースを介して取得される
請求項１０に記載の画像処理装置。
【請求項１２】
所定フレームレートの動画像データを取得する画像データ取得ステップと、
上記動画像データのフレームレートを表示フレームレートに変換して出力するフレームレート変換処理ステップと、
制御部により、フレーム補間を制限するための情報に基づいて上記フレームレート変換処理ステップの動作を制御する制御ステップを有する
画像処理方法。
【請求項１３】
所定フレームレートの動画像データに符号化処理が施されて得られたビデオストリームを含む所定のフォーマットのコンテナを受信する受信部を備え、
上記コンテナのレイヤおよび/または上記ビデオストリームのレイヤにフレーム補間を制限するための情報が挿入されており、
上記ビデオストリームに復号化処理を施して所定フレームレートの動画像データを得るデコード処理と、上記フレーム補間を制御するための情報に基づいて上記デコード処理で得られた動画像データのフレームレートを表示フレームレートに変換して出力するフレームレート変換処理を制御する制御部を備える
受信装置。
【請求項１４】
受信部により、所定のフレームレートの動画像データに符号化処理が施されて得られたビデオストリームを含む所定のフォーマットのコンテナを受信する受信ステップを有し、
上記コンテナのレイヤおよび/または上記ビデオストリームのレイヤにフレーム補間を制限するための情報が挿入されており、
上記ビデオストリームに復号化処理を施して所定フレームレートの動画像データを得るデコードステップと、
上記デコードステップで得られた動画像データのフレームレートを表示フレームレートに変換して出力するフレームレート変換処理ステップと、
上記フレーム補間を制御するための情報に基づいて上記フレームレート変換処理ステップの動作を制御する制御ステップを有する
受信方法。
【請求項１５】
外部機器からデジタルインタフェースを介して所定フレームレートの動画像データとフレーム補間を制限するための情報を受信する受信部と、
フレーム補間を制限するための情報に基づいて上記動画像データのフレームレートを表示フレームレートに変換して出力するフレームレート変換処理を制御する制御部を備える
受信装置。
【請求項１６】
画像データ受信部により、外部機器からデジタルインタフェースを介して所定フレームレートの動画像データを受信する画像データ受信ステップと、
情報受信部により、上記外部機器から上記デジタルインタフェースを介してフレーム補間を制限するための情報を受信する情報受信ステップと、
上記動画像データのフレームレートを表示フレームレートに変換して出力するフレームレート変換処理ステップと、
フレーム補間を制限するための情報に基づいて上記フレームレート変換処理ステップの動作を制御する制御ステップを有する
受信方法。
【請求項１７】
所定のフレームレートの動画像データに符号化処理が施されて得られたビデオストリームを含む所定のフォーマットのコンテナを受信する受信部を備え、
上記コンテナのレイヤおよび/または上記ビデオストリームのレイヤにフレーム補間を制限するための情報が挿入されており、
上記ビデオストリームに復号化処理を施して所定フレームレートの動画像データを得るデコード処理と、上記デコード処理で得られた所定フレームレートの動画像データと上記フレーム補間を制限するための情報をデジタルインタフェースを介して外部機器に送信する送信処理を制御する制御部を備える
受信装置。
【請求項１８】
受信部により、所定のフレームレートの動画像データに符号化処理が施されて得られたビデオストリームを含む所定のフォーマットのコンテナを受信する受信ステップを有し、
上記コンテナのレイヤおよび/または上記ビデオストリームのレイヤにフレーム補間を制限するための情報が挿入されており、
上記ビデオストリームに復号化処理を施して所定フレームレートの動画像データを得るデコードステップと、
上記デコードステップで得られた所定フレームレートの動画像データと、上記フレーム補間を制限するための情報を、デジタルインタフェースを介して外部機器に送信する送信ステップを有する
受信方法。
【発明の詳細な説明】
【技術分野】
【０００１】
本技術は、送信装置、送信方法、画像処理装置、画像処理方法、受信装置および受信方法に関する。詳しくは、本技術は、所定フレームレートの動画像データを送信する送信装置等に関する。
【背景技術】
【０００２】
従来、表示装置における画質向上のために受信側でフレームレートを高く変換して表示することが知られている（例えば、特許文献１参照）。フレームレートを高くするためにはフレームの増加処理が必要となるが、そのための処理として、同一のフレームを繰り返すフレームリピートと、前後のフレームを用いて新たなフレームを作成するフレーム補間がある。
【先行技術文献】
【特許文献】
【０００３】
【特許文献１】特開２０１３-１４３６４６号公報
【発明の概要】
【発明が解決しようとする課題】
【０００４】
コンテンツの種類によっては、配信される動画像データに対して受信側でフレーム補間をした場合、制作時の意図の的確な反映が妨げられることも考えられる。【０００５】
本技術の目的は、受信側でフレーム補間が行われることによって制作時の意図の的確な反映が妨げられることを回避可能とすることにある。
【課題を解決するための手段】
【０００６】
本技術の概念は、
所定フレームレートの動画像データに符号化処理が施されて得られたビデオストリームを含む所定のコンテナを送信する送信部と、
上記コンテナのレイヤおよび/または上記ビデオストリームのレイヤに、フレーム補間を制限するための情報を挿入する情報挿入部を備える
送信装置にある。【０００７】
本技術において、送信部により、所定フレームレートの動画像データに符号化処理が施されて得られたビデオストリームを含む所定のコンテナが送信される。情報挿入部により、コンテナのレイヤおよび/またはビデオストリームのレイヤに、フレーム補間を制限するための情報が挿入される。【０００８】
例えば、フレーム補間を制限するための情報には、フレーム補間を禁止する情報が含まれる、ようにされてもよい。また、例えば、フレーム補間を制限するための情報には、フレームリピート回数を示す情報が含まれる、ようにされてもよい。また、例えば、情報挿入部は、フレーム補間を制限するための情報を含むデスクリプタをコンテナのレイヤに挿入する、ようにされてもよい。また、例えば、情報挿入部は、フレーム補間を制限するための情報を含むＳＥＩメッセージをビデオストリームのレイヤに挿入する、ようにされてもよい。【０００９】
このように本技術においては、コンテナのレイヤおよび/またはビデオストリームのレイヤに、フレーム補間を制限するための情報を挿入するものである。そのため、受信側では、送られてくる動画像データに対するフレーム補間を当該情報に基づいて制限でき、制作時の意図の的確な反映が妨げられることを回避できる。【００１０】
また、本技術の他の概念は、
所定フレームレートの動画像データを取得する画像データ取得部と、
フレーム補間を制限するための情報に基づいて上記動画像データのフレームレートを表示フレームレートに変換して出力するフレームレート変換処理を制御する制御部を備える
画像処理装置にある。【００１１】
本技術において、データ取得部により、所定フレームレートの動画像データが取得される。制御部により、フレーム補間を制限するための情報に基づいて動画像データのフレームレートを表示フレームレートに変換して出力するフレームレート変換処理が制御される。【００１２】
例えば、画像データ取得部は、所定フレームレートの動画像データに符号化処理を施して得られたビデオストリームを含む所定フォーマットのコンテナを受信し、このビデオストリームに復号化処理を施して所定フレームレートの動画像データを取得する、ようにされてもよい。この場合、例えば、フレーム補間を制限するための情報は、コンテナのレイヤおよび/またはビデオストリームのレイヤに挿入されている、ようにされてもよい。【００１３】
また、例えば、画像データ取得部は、所定フレームの動画像データを、外部機器からデジタルインタフェースを介して取得する、ようにされてもよい。この場合、例えば、フレーム補間を制限するための情報は、外部機器からデジタルインタフェースを介して取得される、ようにされてもよい。【００１４】
このように本技術においては、動画像データのフレームレートを表示フレームレートに変換して出力するフレームレート変換処理を、フレーム補間を制限するための情報に基づいて制御するものである。そのため、フレーム補間が行われることによって制作時の意図の的確な反映が妨げられることを回避できる。【００１５】
また、本技術の他の概念は、
所定のフレームレートの動画像データに符号化処理が施されて得られたビデオストリームを含む所定のフォーマットのコンテナを受信する受信部を備え、
上記コンテナのレイヤおよび/または上記ビデオストリームのレイヤにフレーム補間を制限するための情報が挿入されており、
上記ビデオストリームに復号化処理を施して所定フレームレートの動画像データを得るデコード処理と、上記フレーム補間を制御するための情報に基づいて上記デコード処理で得られた動画像データのフレームレートを表示フレームレートに変換して出力するフレームレート変換処理を制御する制御部を備える
受信装置にある。【００１６】
本技術において、受信部により、所定のフレームレートの動画像データに符号化処理が施されて得られたビデオストリームを含む所定のフォーマットのコンテナが受信される。コンテナのレイヤおよび/またはビデオストリームのレイヤにフレーム補間を制限するための情報が挿入されている。【００１７】
制御部により、ビデオストリームに復号化処理を施して所定フレームレートの動画像データを得るデコード処理と、フレーム補間を制御するための情報に基づいてデコード処理で得られた動画像データのフレームレートを表示フレームレートに変換して出力するフレームレート変換処理が制御される。【００１８】
このように本技術においては、ビデオストリームに復号化処理を施して得られた動画像データのフレームレートを表示フレームレートに変換して出力するフレームレート変換処理を、フレーム補間を制限するための情報に基づいて制御するものである。そのため、フレーム補間が行われることによって制作時の意図の的確な反映が妨げられることを回避できる。【００１９】
また、本技術の他の概念は、
外部機器からデジタルインタフェースを介して所定フレームレートの動画像データとフレーム補間を制限するための情報を受信する受信部と、
フレーム補間を制限するための情報に基づいて上記動画像データのフレームレートを表示フレームレートに変換して出力するフレームレート変換処理を制御する制御部を備える
受信装置にある。【００２０】
本技術において、受信部により、外部機器からデジタルインタフェースを介して所定フレームレートの動画像データとフレーム補間を制限するための情報が受信される。例えば、デジタルインタフェースは、ＨＤＭＩ（High-Definition Multimedia Interface）である、ようにされてもよい。【００２１】
制御部により、フレーム補間を制限するための情報に基づいて動画像データのフレームレートを表示フレームレートに変換して出力するフレームレート変換処理が制御される。【００２２】
このように本技術においては、動画像データのフレームレートを表示フレームレートに変換して出力するフレームレート変換処理を、フレーム補間を制限するための情報に基づいて制御するものである。そのため、フレーム補間が行われることによって制作時の意図の的確な反映が妨げられることを回避できる。【００２３】
また、本技術の概念は、
所定のフレームレートの動画像データに符号化処理が施されて得られたビデオストリームを含む所定のフォーマットのコンテナを受信する受信部を備え、
上記コンテナのレイヤおよび/または上記ビデオストリームのレイヤにフレーム補間を制限するための情報が挿入されており、
上記ビデオストリームに復号化処理を施して所定フレームレートの動画像データを得るデコード処理と、上記デコード処理で得られた所定フレームレートの動画像データと上記フレーム補間を制限するための情報をデジタルインタフェースを介して外部機器に送信する送信処理を制御する制御部を備える
受信装置にある。【００２４】
本技術において、受信部により、所定のフレームレートの動画像データに符号化処理が施されて得られたビデオストリームを含む所定のフォーマットのコンテナが受信される。コンテナのレイヤおよび/またはビデオストリームのレイヤにフレーム補間を制限するための情報が挿入されている。【００２５】
制御部により、ビデオストリームに復号化処理を施して所定フレームレートの動画像データを得るデコード処理と、このデコード処理で得られた所定フレームレートの動画像データとフレーム補間を制限するための情報をデジタルインタフェースを介して外部機器に送信する送信処理が制御される。【００２６】
このように本技術においては、所定フレームレートの動画像データと共に、この動画像データに関連したフレーム補間を制限するための情報を、デジタルインタフェースを介して、外部機器に送るものである。そのため、受信側では、動画像データに対するフレーム補間を、この動画像データに関連したフレーム補間を制限するための情報に基づいて制限でき、制作時の意図の的確な反映が妨げられることを回避できる。
【発明の効果】
【００２７】
本技術によれば、受信側でフレーム補間が行われることによって制作時の意図の的確な反映が妨げられることを回避できる。なお、ここに記載された効果は必ずしも限定されるものではなく、本開示中に記載されたいずれかの効果であってもよい。
【図面の簡単な説明】
【００２８】
【図１】実施の形態としての送受信システムの構成例を示すブロック図である。
【図２】送信装置の構成例を示すブロック図である。
【図３】符号化方式がＨＥＶＣである場合におけるＧＯＰの先頭のアクセスユニットを示す図である。
【図４】符号化方式がＨＥＶＣである場合におけるＧＯＰの先頭以外のアクセスユニットを示す図である。
【図５】フレーム・インタポレーション・リストリクション・ＳＥＩメッセージの構造例と、その構造例における主要な情報の内容を示す図である。
【図６】フレーム・インタポレーション・リストリクション・デスクリプタの構造例を示す図である。
【図７】フレーム・インタポレーション・リストリクション・デスクリプタの構造例における主要な情報の内容を示す図である。
【図８】トランスポートストリームＴＳの構成例を示す図である。
【図９】受信装置の構成例を示すブロック図である。
【図１０】ピクチャ・タイミング・ＳＥＩメッセージの構造例を示す図である。
【図１１】現状で定義されているピクチャ・タイミング・ＳＥＩメッセージの「pic_struct」の表示シーケンスを示す図である。
【図１２】フレーム補間を制限しない場合におけるフレームレート変換の例（１）を示す図である。
【図１３】フレーム補間を制限しない場合におけるフレームレート変換の例（２）を示す図である。
【図１４】フレーム補間を制限するための情報に基づいてフレーム補間を制限した場合におけるフレームレート変換の例を示す図である。
【図１５】ピクチャ・タイミング・ＳＥＩメッセージの「pic_struct」に新たに定義する表示シーケンスを示す図である。
【図１６】送受信システムの他の構成例を示すブロック図である。
【図１７】“Video displaying InfoFrame”のパケットの構造例と、その構造例における主要な情報の内容を示す図である。
【発明を実施するための形態】
【００２９】
以下、発明を実施するための形態（以下、「実施の形態」とする）について説明する。なお、説明は以下の順序で行う。
１．実施の形態
２．変形例
【００３０】
＜１．実施の形態＞
［送受信システム］
図１は、実施の形態としての送受信システム１０の構成例を示している。この送受信システム１０は、送信装置１００と、受信装置２００とを有する構成となっている。
【００３１】
送信装置１００は、コンテナとしてのトランスポートストリームＴＳを放送波に載せて送信する。このトランスポートストリームＴＳには、２４Ｈｚ、３０Ｈｚ、６０Ｈｚ、１２０Ｈｚなどの所定フレームレートの動画像データに符号化処理が施されて得られたビデオストリームが含まれる。この場合、例えば、Ｈ．２６４／ＡＶＣ、Ｈ．２６５／ＨＥＶＣなどの符号化が施される。
【００３２】
コンテナとしてのトランスポートストリームＴＳのレイヤおよび/またはビデオストリームのレイヤに、フレーム補間を制限するための情報が挿入される。受信側においては、トランスポートストリームＴＳのレイヤやビデオストリームのレイヤから、フレーム補間を制限するための情報を容易に取得可能となる。
【００３３】
この実施の形態において、送信装置１００は、フレーム補間を制限するための情報を含むデスクリプタをトランスポートストリームＴＳのレイヤに挿入する。また、この実施の形態において、送信装置１００は、フレーム補間を制限するための情報を含むＳＥＩメッセージをビデオストリームのレイヤに挿入する。
【００３４】
受信装置２００は、送信装置１００から放送波に載せて送られてくるトランスポートストリームＴＳを受信する。このトランスポートストリームＴＳには、所定フレームレートの動画像データに符号化処理が施されて得られたビデオストリームが含まれている。トランスポートストリームＴＳのレイヤおよび/またはビデオストリームのレイヤに、フレーム補間を制限するための情報が挿入されている。
【００３５】
受信装置２００は、ビデオストリームに復号化処理を施して所定フレームレートの動画像データを取得するデコード処理と、さらにこの動画像データのフレームレートを表示フレームレートに変換するフレームレート変換処理を行って、表示用の動画像データを得る。受信装置２００は、フレーム補間を制限するための情報が存在するとき、その情報に基づいてフレームレート変換処理を制御してフレーム補間が行われることを禁止する。
【００３６】
「送信装置の構成」
図２は、送信装置１００の構成例を示している。この送信装置１００は、ＣＰＵ（Central Processing Unit）１０１と、エンコーダ１０２と、マルチプレクサ１０３と、送信部１０４を有している。ＣＰＵ１０１は、制御部であり、送信装置１００の各部の動作を制御する。
【００３７】
エンコーダ１０２は、配信用画像シーケンスを構成する所定フレームレートの動画像データＶＤを入力する。エンコーダ１０２は、この動画像データＶＤに、例えば、Ｈ．２６４／ＡＶＣ、Ｈ．２６５／ＨＥＶＣなどの符号化処理を施し、ビデオストリームを生成する。
【００３８】
この際、エンコーダ１０２は、ビデオストリームのレイヤに、フレーム補間を制限するための情報を挿入する。すなわち、エンコーダ１０２は、アクセスユニット（ＡＵ）の“ＳＥＩｓ”の部分に、新規定義する、フレーム・インタポレーション・リストリクション・ＳＥＩメッセージ（frame_interpolation_restriction SEI message）を挿入する。
【００３９】
図３は、符号化方式がＨＥＶＣである場合におけるＧＯＰ（Group Of Pictures）の先頭のアクセスユニットを示している。また、図４は、符号化方式がＨＥＶＣである場合におけるＧＯＰの先頭以外のアクセスユニットを示している。ＨＥＶＣの符号化方式の場合、画素データが符号化されているスライス（slices）の前にデコード用のＳＥＩメッセージ群「Prefix_SEIs」が配置され、このスライス（slices）の後に表示用のＳＥＩメッセージ群「Suffix_SEIs」が配置される。図３、図４に示すように、フレーム・インタポレーション・リストリクション・ＳＥＩメッセージは、例えば、ＳＥＩメッセージ群「Suffix_SEIs」として配置される。
【００４０】
図５（ａ）は、フレーム・インタポレーション・リストリクション・ＳＥＩメッセージの構造例(Syntax)を示している。図５（ｂ）は、その構造例における主要な情報の内容（Semantics）を示している。「frame_interpolation_prohibited_flag」の１ビットフィールドは、フレーム補間を禁止するか否かを示すフラグ情報を示している。例えば、“１”はフレーム補間が禁止されることを示し、“０”はフレーム補間が禁止されないことを示す。
【００４１】
「frame_repeat_type」のフィールドは、フレームリピートのタイプを示す。例えば、“０００”は無制限のフレームリピートを示す。これは、表示のフレームレートに一致するように、リピート回数は指定せず、受信表示側がリピート回数を決めることを想定したものである。また、“００１”は１フレームリピート、“０１０”は２フレームリピート、“０１１”は３フレームリピート、“１００”は４フレームリピートを示し、“１０１”は５フレームリピートを示す。
【００４２】
図２に戻って、マルチプレクサ１０３は、エンコーダ１０２で生成されたビデオストリームを、ＰＥＳ（Packetized Elementary Stream）パケット化し、さらにトランスポートパケット化して多重し、多重化ストリームとしてのトランスポートストリームＴＳを得る。
【００４３】
この際、コンテナとしてのトランスポートストリームＴＳのレイヤに、フレーム補間を制限するための情報を挿入する。すなわち、マルチプレクサ１０３は、プログラムマップテーブルの配下にビデオストリームに対応して配置されたビデオエレメンタリストリームループの中に、フレーム・インタポレーション・リストリクション・デスクリプタ（frame_interpolation_restriction descriptor）を挿入する。
【００４４】
図６は、フレーム・インタポレーション・リストリクション・デスクリプタの構造例（Syntax）を示している。図７は、その構造例における主要な情報の内容（Semantics）を示している。「descriptor_tag」の８ビットフィールドは、デスクリプタタイプを示す。ここでは、フレーム・インタポレーション・リストリクション・デスクリプタであることを示す。「descriptor length」の８ビットフィールドは、デスクリプタの長さ（サイズ）を示し、デスクリプタの長さとして、以降のバイト数を示す。ここでは、３バイトを示す。
【００４５】
「frame_interpolation_prohibited_flag」の１ビットフィールドは、フレーム補間を禁止するか否かを示すフラグ情報を示している。例えば、“１”はフレーム補間が禁止されることを示し、“０”はフレーム補間が禁止されないことを示す。
【００４６】
「frame_rate」の３ビットフィールドは、フレームレートを示す。例えば、“００１”は２４Ｈｚを示し、“０１０”は３０Ｈｚを示し“０１１”は６０Ｈｚを示し、“１００”は１２０Ｈｚを示す。
【００４７】
「frame_repeat_type」のフィールドは、フレームリピートのタイプを示す。例えば、“０００”は無制限のフレームリピートを示す。これは、表示のフレームレートに一致するように、リピート回数は指定せず、受信表示側がリピート回数を決めることを想定したものである。また、“００１”は１フレームリピート、“０１０”は２フレームリピート、“０１１”は３付フレームリピート、“１００”は４フレームリピートを示し、“１０１”は５フレームリピートを示す。
【００４８】
図２に戻って、送信部１０４は、マルチプレクサ１０３で得られたトランスポートストリームＴＳを、放送波に載せて、受信装置２００に送信する。
【００４９】
図８は、トランスポートストリームＴＳの構成例を示している。この構成例では、ビデオストリームのＰＥＳパケット「video PES1」が存在する。ＰＥＳペイロードに含まれる各ピクチャの符号化画像データは、「ＡＵＤ」、「ＶＰＳ」、「ＳＰＳ」、「ＰＰＳ」、「ＰＳＥＩ」、「ＳＬＩＣＥ」、「ＳＳＥＩ」、「ＥＯＳ」などのＮＡＬユニットにより構成されている。ＳＥＩメッセージとして、上述したフレーム・インタポレーション・リストリクション・ＳＥＩメッセージ（図５（ａ）参照）が挿入される。
【００５０】
また、トランスポートストリームＴＳには、ＰＳＩ（Program Specific Information）として、ＰＭＴ（Program Map Table）が含まれている。このＰＳＩは、トランスポートストリームに含まれる各エレメンタリストリームがどのプログラムに属しているかを記した情報である。ＰＭＴには、プログラム全体に関連する情報を記述するプログラム・ループ（Program loop）が存在する。また、ＰＭＴには、各エレメンタリストリームに関連した情報を持つエレメンタリストリームループが存在する。この構成例では、ビデオエレメンタリストリームループ（video ES1 loop）が存在する。
【００５１】
ビデオエレメンタリストリームループには、ビデオストリーム（video PES1）に対応して、ストリームタイプ、パケット識別子（PID）等の情報が配置されると共に、そのビデオストリームに関連する情報を記述するデスクリプタも配置される。このデスクリプタの一つとして、ＨＥＶＣデスクリプタ（HEVC_descriptor）、上述したフレーム・インタポレーション・リストリクション・デスクリプタ（図６参照）が挿入される。
【００５２】
図２に示す送信装置１００の動作を簡単に説明する。エンコーダ１０２には、配信用画像シーケンスを構成する所定フレームレートの動画像データＶＤが入力される。エンコーダ１０２では、この動画像データＶＤに、例えば、Ｈ．２６４／ＡＶＣ、Ｈ．２６５／ＨＥＶＣなどの符号化処理が施され、ビデオストリームが生成される。
【００５３】
また、エンコーダ１０２では、ビデオストリームのレイヤに、フレーム補間を制限するための情報が挿入される。すなわち、エンコーダ１０２では、アクセスユニット（ＡＵ）の“ＳＥＩｓ”の部分に、新規定義する、フレーム・インタポレーション・リストリクション・ＳＥＩメッセージ（図５（ａ）参照）が挿入される。
【００５４】
エンコーダ１０２で生成されたビデオストリームは、マルチプレクサ１０３に供給される。マルチプレクサ１０３では、ビデオストリームのＰＥＳパケット化、さらにトランスポートパケット化が行われて多重され、多重化ストリームとしてのトランスポートストリームＴＳが得られる。
【００５５】
また、マルチプレクサ１０３では、コンテナとしてのトランスポートストリームＴＳのレイヤに、フレーム補間を制限するための情報が挿入される。すなわち、プログラムマップテーブルの配下にビデオストリームに対応して配置されたビデオエレメンタリストリームループの中にフレーム・インタポレーション・リストリクション・デスクリプタ（図６参照）が挿入される。
【００５６】
マルチプレクサ１０３で生成されたトランスポートストリームＴＳは、送信部１０４に送られる。送信部１０４では、このトランスポートストリームＴＳが、例えば、ＱＰＳＫ／ＯＦＤＭ等の放送に適した変調方式で変調され、ＲＦ変調信号が送信アンテナから送信される。
【００５７】
「受信装置の構成」
図９は、受信装置２００の構成例を示している。この受信装置２００は、ＣＰＵ（Central Processing Unit）２０１と、受信部２０２と、デマルチプレクサ２０３と、デコーダ２０４と、表示処理部２０５と、表示部２０６を有している。ＣＰＵ２０１は、制御部を構成し、受信装置２００の各部の動作を制御する。
【００５８】
受信部２０２は、送信装置１００から放送波あるいはネットのパケットに載せて送られてくるトランスポートストリームＴＳを受信する。このトランスポートストリームＴＳには、所定フレームレートの動画像データに符号化処理が施されて得られたビデオストリームが含まれている。
【００５９】
デマルチプレクサ２０３は、トランスポートストリームＴＳから、ＰＩＤのフィルタリングによってビデオストリームを取り出し、デコーダ２０４に供給する。また、デマルチプレクサ２０３は、トランスポートストリームＴＳのレイヤに含まれるセクション情報を抽出し、ＣＰＵ２０１に送る。この場合、フレーム補間を制限するための情報を含むフレーム・インタポレーション・リストリクション・デスクリプタ（図６参照）も抽出される。
【００６０】
デコーダ２０４は、デマルチプレクサ２０３から供給されるビデオストリームに復号化処理を施して、所定フレームレートの動画像データを出力する。また、デコーダ２０４は、ビデオストリームを構成する各アクセスユニットに挿入されているパラメータセットやＳＥＩメッセージを抽出し、ＣＰＵ２０１に送る。この場合、フレーム補間を制限するための情報を含むフレーム・インタポレーション・リストリクション・ＳＥＩメッセージ（図５（ａ）参照）も抽出される。
【００６１】
なお、図示は省略するが、デコーダ２０４は、出力バッファを備えており、復号化処理で得られた動画像データに対して、フレームリピートを行って出力することも可能とされている。ＣＰＵ２０１は、デコーダ２０４におけるフレームリピートを、例えば、ピクチャ・タイミング・ＳＥＩメッセージ（Picture_timing SEI message）の「pic_struct」のフィールドの情報、あるいはフレーム補間を制限するための情報などに基づいて制御する。
【００６２】
図１０は、ピクチャ・タイミング・ＳＥＩメッセージの構造例（Syntax）を示している。図１１は、現状で定義されている「pic_struct」の表示シーケンスを示している。
【００６３】
表示処理部２０５は、デコーダ２０４で得られた動画像データのフレームレートを表示フレームレートに変換して出力する。ここで、デコーダ２０４で得られた動画像データのフレームレートは表示フレームレートと同じか、それより低くなるように設定されている。表示処理部２０５は、デコーダ２０４で得られた動画像データのフレームレートが表示フレームレートより低いときは、フレーム補間あるいはフレームリピートによってフレームレートの変換処理を行う。なお、表示処理部２０５は、デコーダ２０４で得られた動画像データのフレームレートが表示フレームレートと同じであるときは、フレームレートの変換処理を行うことなく、デコーダ２０４で得られた動画像データをそのまま出力する。
【００６４】
ＣＰＵ２０１は、フレーム・インタポレーション・リストリクション・デスクリプタ、あるいはフレーム・インタポレーション・リストリクション・ＳＥＩメッセージに含まれるフレーム補間を制限するための情報に基づいて、デコーダ２０４および表示処理部２０５の動作を制御する。制御の詳細については後述する。
【００６５】
表示部２０６は、表示処理部２０５で得られた動画像データによる動画像を表示する。この表示部２０６は、例えば、ＬＣＤ(Liquid Crystal Display)、有機ＥＬ（Organic Electro-Luminescence）パネル等で構成されている。なお、この表示部２０６は、受信装置２００に接続される外部機器であってもよい。
【００６６】
図９に示す受信装置２００の動作を簡単に説明する。受信部２０２では、受信アンテナで受信されたＲＦ変調信号が復調され、トランスポートストリームＴＳが取得される。このトランスポートストリームＴＳは、デマルチプレクサ２０３に送られる。デマルチプレクサ２０３では、トランスポートストリームＴＳから、ＰＩＤのフィルタリングによって、復号化処理をすべきビデオストリームが取り出される。
【００６７】
また、デマルチプレクサ２０３では、トランスポートストリームＴＳのレイヤに含まれるセクション情報が抽出され、ＣＰＵ２０１に送られる。この場合、フレーム補間を制限するための情報を含むフレーム・インタポレーション・リストリクション・デスクリプタ（図６参照）も抽出される。これにより、ＣＰＵ２０１では、このデスクリプタからフレーム補間を制限するための情報が取得される。
【００６８】
デマルチプレクサ２０３で取り出されたビデオストリームは、デコーダ２０４に供給される。デコーダ２０４では、ビデオストリームに復号化処理が施されて、所定フレームレートの動画像データが得られる。また、デコーダ２０４では、ビデオストリームを構成する各アクセスユニットに挿入されているパラメータセットやＳＥＩメッセージが抽出され、ＣＰＵ２０１に送られる。この場合、フレーム補間を制限するための情報を含むフレーム・インタポレーション・リストリクション・ＳＥＩメッセージ（図５（ａ）参照）も抽出される。これにより、ＣＰＵ２０１では、このＳＥＩメッセージからフレーム補間を制限するための情報が取得される。
【００６９】
デコーダ２０４で得られた所定フレームレートの動画像データは、表示処理部２０５に供給される。表示処理部２０５では、デコーダ２０４で得られた動画像データのフレームレートが表示フレームレートに変換されて出力される。なお、デコーダ２０４で得られた動画像データのフレームレートが表示フレームレートと同じであるときは、フレームレートの変換処理は行われず、デコーダ２０４で得られた動画像データがそのまま出力される。
【００７０】
表示処理部２０５から出力された動画像データは、表示部２０６に供給される。この表示部２０６に、動画像データによる動画像が表示される。
【００７１】
「フレーム補間を制限するための情報による制御」
デコーダ２０４および表示処理部２０５の動作は、ＣＰＵ２０１により、フレーム・インタポレーション・リストリクション・デスクリプタ、あるいはフレーム・インタポレーション・リストリクション・ＳＥＩメッセージに含まれるフレーム補間を制限するための情報に基づいて制御される。
【００７２】
（１）例えば、「frame_repeat_type」の情報が“００１”から“１０１”のように制限されたリピート回数を示し、「frame_repeat_type」の情報と「frame_interpolation_prohibited_flag」の情報の組み合わせで用いる場合が考えられる。
【００７３】
ここで、復号化処理で得られた動画像データ（受信動画像データ）のフレームレートが３０Ｈｚで、「frame_repeat_type」が“０１１”で３フレームリピートを示し、さらに、「frame_interpolation_prohibited_flag」が“１”でフレーム補間禁止を示している場合について説明する。
【００７４】
この場合、「frame_repeat_type」の情報に基づいてデコーダ２０４の動作が制御され、デコーダ２０４の出力バッファから４倍速で４回の読み出しが行われ、１２０Ｈｚのフレームレートの動画像データが得られる。そして、表示フレームレートが１２０Ｈｚであるときは、デコーダ２０４から出力される１２０Ｈｚのフレームレートの動画像データがそのまま表示処理部２０５から出力される。
【００７５】
また、表示フレームレートが２４０Ｈｚであるときは、「frame_interpolation_prohibited_flag」の情報に基づいて表示処理部２０５の動作が制御され、表示処理部２０５で各フレームが１回ずつリピートされ、２４０Ｈｚのフレームレートの動画像データが表示処理部２０５から出力される。
【００７６】
なお、このときは、「frame_repeat_type」の情報および「frame_interpolation_prohibited_flag」の情報に基づいてデコーダ２０４の動作が制御され、デコーダ２０４の出力バッファから８倍速で８回の読み出しが行われ、２４０Ｈｚのフレームレートの動画像データが得られるようにされてもよい。この場合、２４０Ｈｚのフレームレートの動画像データがそのまま表示処理部２０５から出力される。
【００７７】
また、上述ではデコーダ２０４で主体的にフレームリピートが行われるように説明したが、全てのフレームリピートが表示処理部２０５で行われるようにされてもよい。
【００７８】
（２）また、例えば、「frame_repeat_type」の情報が“０００”のように無制限のリピート回数を示し、「frame_repeat_type」のフィールドの情報のみを用いる場合が考えられる。
【００７９】
ここで、復号化処理で得られた動画像データ（受信動画像データ）のフレームレートが３０Ｈｚで、「frame_repeat_type」が“０００”で無制限のリピート回数を示している場合について説明する。
【００８０】
この場合、「frame_repeat_type」の情報に基づいてデコーダ２０４の動作が制御される。表示フレームレートが１２０Ｈｚであるときは、デコーダ２０４の出力バッファから４倍速で４回の読み出しが行われ、１２０Ｈｚのフレームレートの動画像データが得られる。そして、この動画像データがそのまま表示処理部２０５から出力される。
【００８１】
また、表示フレームレートが２４０Ｈｚであるときは、デコーダ２０４の出力バッファから８倍速で８回の読み出しが行われ、２４０Ｈｚのフレームレートの動画像データが得られる。そして、この動画像データがそのまま表示処理部２０５から出力される。
【００８２】
なお、上述ではデコーダ２０４でフレームリピートが行われるように説明したが、フレームリピートは表示処理部２０５で行われるようにされてもよい。
【００８３】
（３）また、例えば、「frame_interpolation_prohibited_flag」の情報のみを用いる場合が考えられる。
【００８４】
ここで、復号化処理で得られた動画像データ（受信動画像データ）のフレームレートが３０Ｈｚで、「frame_interpolation_prohibited_flag」が“１”でフレーム補間禁止を示している場合について説明する。
【００８５】
この場合、「frame_repeat_type」の情報に基づいてデコーダ２０４の動作が制御される。表示フレームレートが１２０Ｈｚであるときは、デコーダ２０４の出力バッファから４倍速で４回の読み出しが行われ、１２０Ｈｚのフレームレートの動画像データが得られる。そして、この動画像データがそのまま表示処理部２０５から出力される。
【００８６】
また、表示フレームレートが２４０Ｈｚであるときは、デコーダ２０４の出力バッファから８倍速で８回の読み出しが行われ、２４０Ｈｚのフレームレートの動画像データが得られる。そして、この動画像データがそのまま表示処理部２０５から出力される。
【００８７】
なお、上述ではデコーダ２０４でフレームリピートが行われるように説明したが、フレームリピートは表示処理部２０５で行われるようにされてもよい。
【００８８】
以上説明したように、図１に示す送受信システム１０において、送信装置１００では、コンテナとしてのトランスポートストリームＴＳのレイヤおよびビデオストリームのレイヤに、フレーム補間を制限するための情報が挿入される。そのため、受信側では、送られてくる動画像データに対するフレーム補間を当該情報に基づいて制限でき、制作時の意図の的確な反映が妨げられることを回避できる。
【００８９】
例えば、図１２は、フレーム補間を制限しない場合におけるフレームレート変換の例（１）を示している。ここでは、復号化処理で得られた動画像データ（受信動画像データ）のフレームレートが２４Ｈｚで、表示フレームレートが１２０Ｈｚである場合を例にとって説明する。なお、以下の図１３、図１４に示す例においても同様である。
【００９０】
図１２（ａ）は、復号化処理で得られた２４Ｈｚのフレームレートの動画像データ（受信動画像データ）を示している。図１２（ｂ）は、受信動画像データに対してデコーダの出力バッファからの読み出しによるフレームリピートで３/２プルダウン処理がされて得られた６０Ｈｚのフレームレートの動画像データを示している。図１２（ｃ）は、デコーダ出力の動画像データに対して表示処理部でフレーム補間を行って得られた１２０Ｈｚのフレームレートの動画像データを示している
【００９１】
この例の場合、３/２プルダウン処理で６０Ｈｚのフレームレートにする際に、元の２４Ｈｚの時間グリッドからの表示タイミングのずれが発生する。その結果、動きのぎこちなさが生じオリジナルの動きとは違った表示になる。また、この例の場合、フレーム補間で１２０Ｈのフレームレートにする際、元の２４Ｈｚの時間グリッドから表示タイミングがずれたまま、元には存在しない補間フレームが挿入される。したがって、この例の場合、制作時の意図の的確な反映が妨げられる可能性がある。
【００９２】
また、例えば、図１３は、フレーム補間を制限しない場合におけるフレームレート変換の例（２）を示している。図１３（ａ）は、復号化処理で得られた２４Ｈｚのフレームレートの動画像データ（受信動画像データ）を示している。図１３（ｂ）は、２４Ｈｚのフレームレートのデコーダ出力の動画像データに対して表示処理部でフレーム補間を行って得られた１２０Ｈｚのフレームレートの動画像データを示している。
【００９３】
この例の場合、元の２４Ｈｚの時間グリッドからの表示タイミングのずれは発生しないが、元には存在しない補間フレームが挿入される。したがって、この例の場合、制作時の意図の的確な反映が妨げられる可能性がある。
【００９４】
図１４は、本技術において、フレーム補間を制限するための情報に基づいてフレーム補間を制限した場合におけるフレームレート変換の例を示している。図１４（ａ）は、デコーダ２０４の復号化処理で得られた２４Ｈｚのフレームレートの動画像データ（受信動画像データ）を示している。図１４（ｂ）は、２４Ｈｚのフレームレートのデコーダ出力の動画像データに対してデコーダ２０４、あるいは表示処理部２０５、あるいはデコーダ２０４および表示処理部２０５の双方でフレームリピートがされることで得られた１２０Ｈｚのフレームレートの動画像データを示している。
【００９５】
この例の場合、元の２４Ｈｚの時間グリッドからの表示タイミングのずれは発生せず、しかもフレーム補間を行わないので、オリジナルの画質が維持され、制作時の意図の的確な反映が妨げられることを回避できる。
【００９６】
＜２．変形例＞
なお、上述実施の形態においては、コンテナとしてのトランスポートストリームＴＳのレイヤにフレーム補間を制限するための情報を持つフレーム・インタポレーション・リストリクション・デスクリプタを挿入し、ビデオストリームのレイヤにフレーム補間を制限するための情報を持つフレーム・インタポレーション・リストリクション・ＳＥＩメッセージを挿入している。しかし、これらのデスクリプタおよびＳＥＩメッセージの双方を必ずしも挿入する必要はなく、一方のみを挿入する構成も考えられる。
【００９７】
また、上述実施の形態においては、フレーム・インタポレーション・リストリクション・デスクリプタおよびフレーム・インタポレーション・リストリクション・ＳＥＩメッセージのそれぞれには、フレーム補間を禁止する情報としての「frame_interpolation_prohibited_flag」と、フレームリピート回数を示す情報としての「frame_repeat_type」の双方が含まれている。
【００９８】
フレームリピート回数を示す情報を、ピクチャ・タイミング・ＳＥＩメッセージ（図１０参照）に持たせることも考えられる。この場合、例えば、図１５に示すように、「pic_struct」に新たな表示シーケンスを定義する。例えば、“１３”は、「frame quadrupling」のための３フレームリピートを示す。また、“１４”は、「frame quintupling」のための４フレームリピートを示す。また、“１５”は、無制限のフレームリピートを示す。これは、表示のフレームレートに一致するように、リピート回数は指定せず、受信表示側がリピート回数を決めることを想定したものである。
【００９９】
また、上述実施の形態においては、送信装置１００および受信装置２００により構成される送受信システム１０を示したが、本技術を適用し得る送受信システムの構成は、これに限定されるものではない。例えば、図１６に示す送受信システム１０Ａのように、受信装置２００の部分がデジタルインタフェース、例えば、ＨＤＭＩ（High-Definition Multimedia Interface）のデジタルインタフェースで接続されたセットトップボックス（ＳＴＢ）２００Ａおよびモニタ２００Ｂからなる構成であってもよい。なお、「ＨＤＭＩ」は、登録商標である。
【０１００】
この場合、例えば、デコーダ２０４までがセットトップボックス２００Ａに含まれ、表示処理部２０５以降がモニタ２００Ｂに含まれる。この場合、ＨＤＭＩのデジタルインタフェースにおける伝送レートを考慮して、例えば、セットトップボックス２００Ａのデコーダ２０４ではフレームレート変換が行われないようにされる。つまり、セットトップボックス２００Ａのデコーダ２０４は、受信された動画像データがそのままのフレームレートの動画像データを出力し、セットトップボックス２００Ａは、この動画像データ（非圧縮の動画像データ）をＨＤＭＩのデジタルインタフェースを介してモニタ２００に送信する。
【０１０１】
また、セットトップボックス２００Ａは、フレーム補間を制限するための情報を、ＨＤＭＩのデジタルインタフェースを介してモニタ２００に送信する。セットトップボックス２００Ａは、例えば、フレーム補間を制限するための情報を、動画像データのブランキング期間に挿入することで送信する。例えば、“Video displaying InfoFrame”のパケットを用いて、フレーム補間を制限するための情報を、モニタ２００Ｂに送る。
【０１０２】
図１７（ａ）は、セットトップボックス２００Ａからモニタ２００Ｂに送る“Video displaying InfoFrame”のパケットの構造例（Syntax）を示している。また、図１７（ｂ）は、その構造例における主要な情報の内容を示している。
【０１０３】
第４バイトの第７ビットには、「frame_interpolation_prohibited_flag」の１ビット情報が配置される。この１ビット情報は、フレーム補間を禁止するか否かを示すフラグ情報を示している。例えば、“１”はフレーム補間が禁止されることを示し、“０”はフレーム補間が禁止されないことを示す。
【０１０４】
また、第４バイトの第６ビットから第４ビットには、「frame_repeat_type」の３ビット情報が配置される。この３ビット情報は、フレームリピートのタイプを示す。例えば、“０００”は無制限のフレームリピートを示す。これは、表示のフレームレートに一致するように、リピート回数は指定せず、受信表示側がリピート回数を決めることを想定したものである。また、“００１”は１フレームリピート、“０１０”は２フレームリピート、“０１１”は３付フレームリピート、“１００”は４フレームリピートを示し、“１０１”は５フレームリピートを示す。
【０１０５】
モニタ２００ＢのＣＰＵは、セットトップボックス２００Ａから送信されてくるフレーム補間を制限するための情報に基づいて、表示処理部２０５の動作を制御する。この制御の詳細については省略するが、上述した送受信システム１０の受信装置２００における制御と同様に行われる。
【０１０６】
なお、セットトップボックス２００Ａからモニタ２００Ｂへのフレーム補間を制限するための情報の送信を、“Video displaying InfoFrame”のパケットを用いる代わりに、その他の”InfoFrame”のパケット、例えば“Vender Specific InfoFrame”のパケットなどを用いることも考えられる。また、フレーム補間を制限するための情報の送信を、ＣＥＣラインやＨＥＣの通信ラインを介して送信することも考えられる。
【０１０７】
また、上述実施の形態においては、コンテナがトランスポートストリーム（ＭＰＥＧ−２  ＴＳ）である例を示した。しかし、本技術は、インターネット等のネットワークを利用して受信端末に配信される構成のシステムにも同様に適用できる。インターネットの配信では、ＭＰ４やそれ以外のフォーマットのコンテナで配信されることが多い。つまり、コンテナとしては、デジタル放送規格で採用されているトランスポートストリーム（ＭＰＥＧ−２  ＴＳ）あるいはＭＭＴ（MPEG Media Transport）、インターネット配信で使用されているＭＰ４などの種々のフォーマットのコンテナが該当する。
【０１０８】
また、本技術は、以下のような構成を取ることもできる。
（１）所定フレームレートの動画像データに符号化処理が施されて得られたビデオストリームを含む所定のコンテナを送信する送信部と、
上記コンテナのレイヤおよび/または上記ビデオストリームのレイヤに、フレーム補間を制限するための情報を挿入する情報挿入部を備える
送信装置。
（２）上記フレーム補間を制限するための情報には、フレーム補間を禁止する情報が含まれる
前記（１）に記載の送信装置。
（３）上記フレーム補間を制限するための情報には、フレームリピート回数を示す情報が含まれる
前記（１）または（２）に記載の送信装置。
（４）上記情報挿入部は、上記フレーム補間を制限するための情報を含むデスクリプタを上記コンテナのレイヤに挿入する
前記（１）から（３）のいずれかに記載の送信装置。
（５）上記情報挿入部は、上記フレーム補間を制限するための情報を含むＳＥＩメッセージを上記ビデオストリームのレイヤに挿入する
前記（１）から（４）のいずれかに記載の送信装置。
（６）送信部により、所定フレームレートの動画像データに符号化処理が施されて得られたビデオストリームを含む所定のコンテナを送信する送信ステップと、
上記コンテナのレイヤおよび/または上記ビデオストリームのレイヤに、フレーム補間を制限するための情報を挿入する情報挿入ステップを有する
送信方法。
（７）所定フレームレートの動画像データを取得する画像データ取得部と、
上記動画像データのフレームレートを表示フレームレートに変換して出力するフレームレート変換処理部と、
フレーム補間を制限するための情報に基づいて上記フレームレート変換処理部の動作を制御する制御部を備える
画像処理装置。
（８）上記画像データ取得部は、上記所定フレームレートの動画像データに符号化処理を施して得られたビデオストリームを含む所定フォーマットのコンテナを受信し、該ビデオストリームに復号化処理を施して上記所定フレームレートの動画像データを取得する
前記（７）に記載の画像処理装置。
（９）上記フレーム補間を制限するための情報は、上記コンテナのレイヤおよび/または上記ビデオストリームのレイヤに挿入されている
前記（８）に記載の画像処理装置。
（１０）上記画像データ取得部は、上記所定フレームの動画像データを、外部機器からデジタルインタフェースを介して取得する
前記（７）に記載の画像処理装置。
（１１）上記フレーム補間を制限するための情報は、上記外部機器から上記デジタルインタフェースを介して取得される
前記（１０）に記載の画像処理装置。
（１２）所定フレームレートの動画像データを取得する画像データ取得ステップと、
上記動画像データのフレームレートを表示フレームレートに変換して出力するフレームレート変換処理ステップと、
制御部により、フレーム補間を制限するための情報に基づいて上記フレームレート変換処理ステップの動作を制御する制御ステップを有する
画像処理方法。
（１３）所定フレームレートの動画像データに符号化処理が施されて得られたビデオストリームを含む所定のフォーマットのコンテナを受信する受信部を備え、
上記コンテナのレイヤおよび/または上記ビデオストリームのレイヤにフレーム補間を制限するための情報が挿入されており、
上記ビデオストリームに復号化処理を施して所定フレームレートの動画像データを得るデコード部と、
上記デコード部で得られた動画像データのフレームレートを表示フレームレートに変換して出力するフレームレート変換処理部と、
上記フレーム補間を制御するための情報に基づいて上記フレームレート変換処理部の動作を制御する制御部を備える
受信装置。
（１４）受信部により、所定のフレームレートの動画像データに符号化処理が施されて得られたビデオストリームを含む所定のフォーマットのコンテナを受信する受信ステップを有し、
上記コンテナのレイヤおよび/または上記ビデオストリームのレイヤにフレーム補間を制限するための情報が挿入されており、
上記ビデオストリームに復号化処理を施して所定フレームレートの動画像データを得るデコードステップと、
上記デコードステップで得られた動画像データのフレームレートを表示フレームレートに変換して出力するフレームレート変換処理ステップと、
上記フレーム補間を制御するための情報に基づいて上記フレームレート変換処理ステップの動作を制御する制御ステップを有する
受信方法。
（１５）外部機器からデジタルインタフェースを介して所定フレームレートの動画像データを受信する画像データ受信部と、
上記外部機器から上記デジタルインタフェースを介してフレーム補間を制限するための情報を受信する情報受信部と、
上記動画像データのフレームレートを表示フレームレートに変換して出力するフレームレート変換処理部と、
フレーム補間を制限するための情報に基づいて上記フレームレート変換処理部の動作を制御する制御部を備える
受信装置。
（１６）画像データ受信部により、外部機器からデジタルインタフェースを介して所定フレームレートの動画像データを受信する画像データ受信ステップと、
情報受信部により、上記外部機器から上記デジタルインタフェースを介してフレーム補間を制限するための情報を受信する情報受信ステップと、
上記動画像データのフレームレートを表示フレームレートに変換して出力するフレームレート変換処理ステップと、
フレーム補間を制限するための情報に基づいて上記フレームレート変換処理ステップの動作を制御する制御ステップを有する
受信方法。
（１７）所定のフレームレートの動画像データに符号化処理が施されて得られたビデオストリームを含む所定のフォーマットのコンテナを受信する受信部を備え、
上記コンテナのレイヤおよび/または上記ビデオストリームのレイヤにフレーム補間を制限するための情報が挿入されており、
上記ビデオストリームに復号化処理を施して所定フレームレートの動画像データを得るデコード部と、
上記デコード部で得られた所定フレームレートの動画像データと、上記フレーム補間を制限するための情報を、デジタルインタフェースを介して外部機器に送信する送信部を備える
受信装置。
（１８）受信部により、所定のフレームレートの動画像データに符号化処理が施されて得られたビデオストリームを含む所定のフォーマットのコンテナを受信する受信ステップを有し、
上記コンテナのレイヤおよび/または上記ビデオストリームのレイヤにフレーム補間を制限するための情報が挿入されており、
上記ビデオストリームに復号化処理を施して所定フレームレートの動画像データを得るデコードステップと、
上記デコードステップで得られた所定フレームレートの動画像データと、上記フレーム補間を制限するための情報を、デジタルインタフェースを介して外部機器に送信する送信ステップを有する
受信方法。
【０１０９】
本技術の主な特徴は、コンテナのレイヤおよびビデオストリームのレイヤに、フレーム補間を制限するための情報を挿入することで、受信側において、動画像データに対するフレーム補間を当該情報に基づいて制限して、制作時の意図の的確な反映が妨げられることを回避可能としたことである（図８参照）。
【符号の説明】
【０１１０】
１０，１０Ａ・・・送受信システム
１００・・・送信装置
１０１・・・ＣＰＵ
１０２・・・エンコーダ
１０３・・・マルチプレクサ
１０４・・・送信部
２００・・・受信装置
２００Ａ・・・セットトップボックス
２００Ｂ・・・モニタ
２０１・・・ＣＰＵ
２０２・・・受信部
２０３・・・デマルチプレクサ
２０４・・・デコーダ
２０５・・・表示処理部
２０６・・・表示部
【図１】
2016190089.tif 000003
【図２】
2016190089.tif 000004
【図３】
2016190089.tif 000005
【図４】
2016190089.tif 000006
【図５】
2016190089.tif 000007
【図６】
2016190089.tif 000008
【図７】
2016190089.tif 000009
【図８】
2016190089.tif 000010
【図９】
2016190089.tif 000011
【図１０】
2016190089.tif 000012
【図１１】
2016190089.tif 000013
【図１２】
2016190089.tif 000014
【図１３】
2016190089.tif 000015
【図１４】
2016190089.tif 000016
【図１５】
2016190089.tif 000017
【図１６】
2016190089.tif 000018
【図１７】
2016190089.tif 000019
【国際調査報告】
2016190089.tif 000020
2016190089.tif 000021
2016190089.tif 000022
2016190089.tif 000023